(57)【要約】【課題】  表示時間が制限されているる表示動作状態において、表示時間の制限を容易に延長できるようにすると共に、操作性を向上させることができるようにすること。【解決手段】  被写体光学像を光電変換し、画像信号を出力するイメージセンサ（２１０）と、前記イメージセンサから出力された画像信号に基づいて画像を表示する画像表示回路（２１３）とを有する撮像装置における表示制御方法であって、前記画像表示回路に画像を表示している表示時間が、制限時間内であるかどうかを判断し（Ｓ１０８）、前記表示時間が前記制限時間外である場合に、前記画像表示回路への前記画像の表示を停止し（Ｓ１０９）、前記画像表示回路に画像を表示中に、前記制限時間の延長が指示されたかどうかを判断し（Ｓ１０４）、延長が指示されたと判断された場合に、前記制限時間を延長する（Ｓ１０５）。【選択図】  図４
2006140736.tif 000002
【特許請求の範囲】
【請求項１】
被写体光学像を光電変換し、画像信号を出力する撮像手段と、
前記撮像手段から出力された画像信号に基づいて画像を表示する表示手段と、
前記表示手段に画像を表示している表示時間が、制限時間内であるかどうかを判断する判断手段と、
前記表示時間が前記制限時間外である場合に、前記表示手段への前記画像の表示を停止する制御手段と、
前記表示手段に画像を表示中に、前記制限時間の延長を指示するための操作手段と、
前記表示手段に画像を表示中に前記操作手段により延長が指示された場合に、前記制限時間を延長する延長手段と
を有することを特徴とする撮像装置。
【請求項２】
前記制限時間を所定時間に設定する設定手段を更に有し、
前記延長手段は、前記操作手段により延長が指示された場合に、前記所定時間分、前記制限時間を延長することを特徴とする請求項１に記載の撮像装置。
【請求項３】
前記延長手段は、前記操作手段により延長が指示される度に、前記所定時間分、前記制限時間を延長することを特徴とする請求項２に記載の撮像装置。
【請求項４】
前記延長手段は、前記操作手段が操作された時間に対応する時間分、前記制限時間を延長することを特徴とする請求項１に記載の撮像装置。
【請求項５】
前記延長手段は、前記操作手段が操作された時間と前記所定時間の積の時間分、前記制限時間を延長することを特徴とする請求項４に記載の撮像装置。
【請求項６】
前記判断手段は、前記制限時間をカウントダウンするタイマーであることを特徴とする請求項１乃至５のいずれかに記載の撮像装置。
【請求項７】
被写体光学像を光電変換し、画像信号を出力する撮像手段と、前記撮像手段から出力された画像信号に基づいて画像を表示する表示手段とを有する撮像装置における表示制御方法であって、
前記表示手段に画像を表示している表示時間が、制限時間内であるかどうかを判断する第１の判断工程と、
前記表示時間が前記制限時間外である場合に、前記表示手段への前記画像の表示を停止する制御工程と、
前記表示手段に画像を表示中に、前記制限時間の延長が指示されたかどうかを判断する第２の判断工程と、
前記第２の判断工程で延長が指示されたと判断された場合に、前記制限時間を延長する延長工程と
を有することを特徴とする表示制御方法。
【請求項８】
前記制限時間を所定時間に設定する設定工程を更に有し、
前記延長工程では、前記第２の判断工程で延長が指示されたと判断された場合に、前記所定時間分、前記制限時間を延長することを特徴とする請求項７に記載の表示制御方法。
【請求項９】
前記延長工程では、前記第２の判断工程で延長が指示されたと判断される度に、前記所定時間分、前記制限時間を延長することを特徴とする請求項８に記載の表示制御方法。
【請求項１０】
前記制限時間の延長は、所定の操作手段の操作により指示され、前記延長工程では、前記操作手段が操作された時間に対応する時間分、前記制限時間を延長することを特徴とする請求項７に記載の表示制御方法。
【請求項１１】
前記延長工程では、前記操作手段が操作された時間と前記所定時間の積の時間分、前記制限時間を延長することを特徴とする請求項１０に記載の表示制御方法。
【請求項１２】
前記第１の判断工程では、前記制限時間をカウントダウンするタイマーを用いて判断を行うことを特徴とする請求項７乃至１１のいずれかに記載の表示制御方法。
【請求項１３】
請求項７乃至１２のいずれかに記載の表示制御方法を実現するためのプログラムコードを有することを特徴とする情報処理装置が実行可能なプログラム。
【請求項１４】
請求項１３に記載のプログラムを記憶したことを特徴とする情報処理装置が読み取り可能な記憶媒体。
【発明の詳細な説明】
【技術分野】
【０００１】
本発明は、撮像装置及びその表示制御方法に関し、特に、撮像装置の表示装置に画像を表示する際に、タイマーを用いてその制御時間を制御する撮像装置及び表示制御方法に関する。
【背景技術】
【０００２】
従来、情報及び画像を表示するモニター装置と、カメラに所定の動作を行わせる操作部材とを含み、モニター装置での情報及び画像表示時間が予め設定された所定時間を経過すると自動的に表示をオフにするタイマー機能を有するカメラにおいて、モニター装置に情報及び画像を表示中に操作部材が操作されると、タイマー機能をリセットし、表示時間を延長するものが提案されている（例えば、特許文献１参照）。
【０００３】
【特許文献１】特開平５−１１９３７０号公報
【発明の開示】
【発明が解決しようとする課題】
【０００４】
しかし、上記のカメラでは、操作部材が操作された時にタイマーをリセットし、再度所定時間、画像表示時間を延長するだけなので、元々設定されている所定時間が短い場合には、画像確認が十分にできない事があった。そういった場合に、画像確認を十分に行うために画像表示時間を延長させようとすると、操作部材を頻繁に操作しなければならず、操作性が良好ではないといった問題があった。
【０００５】
本発明は上記問題点を鑑みてなされたものであり、表示時間が制限されている表示動作状態において、表示時間の制限を容易に延長できるようにすると共に、操作性を向上させることを目的とする。
【課題を解決するための手段】
【０００６】
上記目的を達成するために、本発明の撮像装置は、被写体光学像を光電変換し、画像信号を出力する撮像手段と、前記撮像手段から出力された画像信号に基づいて画像を表示する表示手段と、前記表示手段に画像を表示している表示時間が、制限時間内であるかどうかを判断する判断手段と、前記表示時間が前記制限時間外である場合に、前記表示手段への前記画像の表示を停止する制御手段と、前記表示手段に画像を表示中に、前記制限時間の延長を指示するための操作手段と、前記表示手段に画像を表示中に前記操作手段により延長が指示された場合に、前記制限時間を延長する延長手段とを有する。
【０００７】
また、被写体光学像を光電変換し、画像信号を出力する撮像手段と、前記撮像手段から出力された画像信号に基づいて画像を表示する表示手段とを有する撮像装置における本発明の表示制御方法は、前記表示手段に画像を表示している表示時間が、制限時間内であるかどうかを判断する第１の判断工程と、前記表示時間が前記制限時間外である場合に、前記表示手段への前記画像の表示を停止する制御工程と、前記表示手段に画像を表示中に、前記制限時間の延長が指示されたかどうかを判断する第２の判断工程と、前記第２の判断工程で延長が指示されたと判断された場合に、前記制限時間を延長する延長工程とを有する。
【発明の効果】
【０００８】
本発明によれば、表示時間が制限されている表示動作状態において、表示時間の制限を容易に延長できるようにすると共に、操作性を向上させることができる。
【０００９】
請求項２記載の電子カメラによれば、表示時間を延長する場合は、所定の操作部材の操作回数に応じて表示時間を延長する事が出来、従来のように表示タイマーが終了する前に何度も操作部材を操作する必要がなくなり、操作性が改善される事になる。
【００１０】
請求項３記載の電子カメラによれば、表示時間を延長する場合は、所定の操作部材の操作時間（ＯＮ時間）に応じて表示時間を延長する事が出来、従来のように表示タイマーが終了する前に何度も操作部材を操作する必要がなくなり、操作性が改善される事になる。
【発明を実施するための最良の形態】
【００１１】
以下、添付図面を参照して本発明を実施するための最良の形態を詳細に説明する。
【００１２】
＜第１の実施形態＞
図１は、本発明の第１の実施形態における撮像装置の機能構成を示すブロック図である。
【００１３】
図１に示すように、本第１の実施形態の撮像装置は、主に、電子カメラ２００と、不図示のマウント機構を介して電子カメラ２００に着脱可能に取り付けられる撮影レンズユニット１００とからなる。マウント機構は、電気的接点群１０７を有し、この電気的接点群１０７を介して電子カメラ２００と撮影レンズユニット１００との間で通信を行い、撮影レンズ１０１及び絞り１０２の駆動を行うことができる。
【００１４】
撮影レンズユニット１００において、１０３は撮影レンズ１０１を光軸方向に移動してピント合わせを行うためのレンズ駆動機構、１０４はレンズ駆動機構１０３を制御するレンズ制御回路、１０５は絞り１０２を駆動するための絞り駆動機構１０５、１０６は絞り駆動機構１０５を制御する絞り制御回路１０６である。
【００１５】
レンズ制御回路１０４は、レンズ固有の情報、例えば焦点距離、開放絞り、レンズ個々に割り振られるレンズＩＤといった情報と、後述するシステムコントローラ２２３から受け取った情報を記憶する記憶部も有している。
【００１６】
被写体からの光束は、撮影レンズ１０１及び光量を調節するための絞り１０２を介して、図示する矢印方向に回動可能なクイックリターンミラー２０２に導かれる。クイックリターンミラー２０２の中央部はハーフミラーになっており、クイックリターンミラー２０２がダウンした際に光束の一部が透過する。そして、この透過した光束は、クイックリターンミラー２０２に設置されたサブミラー２０３で反射され、ＡＦセンサ２０４に導かれる。ＡＦセンサ２０４はサブミラーからの光を光電変換し、得られた画像信号を焦点検出回路２０５に出力するが、撮影画面の複数の位置で焦点検出できるようになっている。焦点検出回路２０５は、ＡＦセンサ２０４からの画像信号に基づいて、位相検出方法やコントラスト検出方法などの公知の測距方法を用いて焦点検出処理を行う。
【００１７】
一方、クイックリターンミラー２０２で反射された光束は、ペンタプリズム２０１、接眼レンズ２０６を介して撮影者の目に至る。また、接眼レンズ２０６の近傍には、被写体の輝度を測定するための測光センサ（不図示）が配設されており、その出力は、測光センサに接続された測光回路２０７を経て、後述するシステムコントローラ２２３へ供給される。
【００１８】
また、クイックリターンミラー２０２がアップした際には、撮影レンズ１０１からの光束は、機械シャッタであるフォーカルプレーンシャッタ２０８及びフィルタ２０９を介して、ＣＭＯＳやＣＣＤ等に代表される撮像素子からなるイメージセンサ２１０に至る。なお、クイックリターンミラー２０２のアップ時には、サブミラー２０３は折り畳まれ、光路から退避するように構成されている。フィルタ２０９は２つの機能を有している。１つは赤外線をカットし、可視光線のみをイメージセンサ２１０へ導く機能であり、もう１つは光学ローパスフィルタの機能である。また、フォーカルプレーンシャッタ２０８は先幕及び後幕を有し、撮影レンズ１０１からの光束の透過、遮断を制御する。
【００１９】
２１１はクイックリターンミラー２０２のアップダウンの駆動及びフォーカルプレーンシャッタ２０８のシャッタチャージを制御するシャッタチャージ・ミラー駆動機構である。フォーカルプレーンシャッタ２０８の先幕、後幕の駆動源はバネにより構成されており、シャッタ走行後、次の動作のためにバネチャージを要する。シャッタチャージ・ミラー駆動機構２１１は、このバネチャージを制御する。また、シャッタチャージ・ミラー駆動機構２１１によりクリックリターンミラー２０２のアップ・ダウンが行われる。
【００２０】
２１２はフォーカルプレーンシャッタ２０８の先幕、後幕の走行を制御するためのシャッタ制御機構、２２２は電子カメラ２００を制御する上で調整が必要なパラメータや電子カメラの個体識別が可能なカメラＩＤ情報や製造時に基準レンズを用いて調整されたＡＦ補正データや自動露出補正値が記憶されているＥＥＰＲＯＭである。なお、ＥＥＰＲＯＭ２２２は後述する表示タイマー設定値も記憶する。
【００２１】
２２３は、電子カメラ２００全体の制御を司るＣＰＵにより構成されるシステムコントローラであって、上述したシャッタチャージ・ミラー駆動機構２１１、シャッタ制御機構２１２、焦点検出回路２０５、測光回路２０７、ＥＥＰＲＯＭ２２２、更に、撮影レンズユニット１００が接続されている時には電気的接点群１０７を介してレンズ制御回路１０４、絞り制御回路１０６が接続されている。
【００２２】
また、電子カメラ２００はパーソナルコンピュータ（ＰＣ）に代表される外部制御装置３００が接続可能に構成され、通信インターフェース回路２２４を介してパーソナルコンピュータ３００とシステムコントローラ２２３とが通信可能に接続される。
【００２３】
また、システムコントローラ２２３は、焦点検出回路２０５により得られた測距データに基づいてレンズ制御回路１０４を介してレンズ駆動機構１０３を制御することにより、被写体像をイメージセンサ２１０上に結像する。また、システムコントローラ２２３は、測光回路２０７を介して供給される測光センサからの出力に応じて設定したＡｖ値に基いて、絞り制御回路１０６を介して絞り１０２を駆動する絞り駆動機構１０５を制御し、更に、設定したＴｖ値に基いて、シャッタ制御機構２１２へ制御信号を出力し、フォーカルプレーンシャッタ２０８の動作を制御する。
【００２４】
また、システムコントローラ２２３には、更に、画像データコントローラ２２０が接続されている。この画像データコントローラ２２０は、ＤＳＰ（デジタル信号プロセッサ）により構成される補正データサンプル手段及び補正手段であり、イメージセンサ２１０の制御、イメージセンサ２１０から入力された画像データの補正や加工などをシステムコントローラ２２３の指令に基いて実行するものである。画像データの補正、加工処理にはオートホワイトバランスも含まれている。オートホワイトバランスとは、撮影画像の中の最大輝度の部分を所定の色（白色）に補正する機能である。オートホワイトバランスの補正量は、システムコントローラ２２３からの命令により変更することが可能である。
【００２５】
画像データコントローラ２２０には、イメージセンサ２１０を駆動する際に必要なパルス信号を出力するタイミングパルス発生回路２１７と、イメージセンサ２１０と共にタイミングパルス発生回路２１７で発生されたタイミングパルスを受けて、イメージセンサ２１０から出力される被写体像に対応したアナログ信号をデジタル信号に変換するためのＡ／Ｄコンバータ２１６と、ＤＲＡＭ２２１と、Ｄ／Ａコンバータ２１５と、画像圧縮回路２１９とが接続されている。
【００２６】
ＤＲＡＭ２２１は、Ａ／Ｄコンバータ２１６から得られた画像データ（デジタルデータ）等の、加工や所定のフォーマットへのデータ変換が行われる前の画像データを一時的に記憶するために使用される。
【００２７】
また、Ｄ／Ａコンバータ２１５には、エンコーダ回路２１４を介して画像を表示する画像表示回路２１３が接続される。画像表示回路２１３は、イメージセンサ２１０で撮像された画像データを表示するための回路であり、一般にはカラーの液晶表示素子により構成される。更に、画像圧縮回路２１９には、画像データを記録しておくための画像データ記録メディア２１８が接続される。
【００２８】
画像データコントローラ２２０は、ＤＲＡＭ２２１上の画像データをＤ／Ａコンバータ２１５に出力し、出力された画像データはＤ／Ａコンバータ２１５でアナログ信号に変換されてエンコーダ回路２１４へ出力される。エンコーダ回路２１４はこのＤ／Ａコンバータ２１５からのアナログ画像データを、画像表示回路２１３を駆動する際に必要な映像信号（例えばＮＴＳＣ信号）に変換する。
【００２９】
画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。この記録メディアとしては、例えば、ハードディスク、フラッシュメモリ、フロッピー（登録商標）ディスク等が使用されるが、勿論これらの記録メディアに限られるものではない。
【００３０】
さらにシステムコントローラ２２３には、電子カメラ２００の動作モードの情報や露出情報（シャッタ秒時、絞り値等）の表示を行うための表示回路２２５と、測光・測距などの撮影準備動作を開始させるためのレリーズＳＷ１（２３１）、撮像動作を開始させるためのレリーズＳＷ２（２３０）と、ユーザが所望の動作を電子カメラ２００に実行させるべくモードを設定するモード設定ＳＷ２２９と、ＡＦセンサ２０４が持つ複数の焦点検出位置から使用する焦点検出位置を選択するための測距エリア選択ＳＷ２２８と、プレビュー表示中にプレビュー時間を延長させるための表示ＳＷ２２７と、後述する表示タイマーを設定するためのタイマー設定ＳＷ２３２と、使用する測光エリアを選択する測光エリア選択ＳＷ２３５と、回転動作によりパラメータをアップダウンさせて表示する電子ダイヤルＳＷ２２６、レリーズ回数をカウントするためのカウンター２３３、及びブザー２３４が接続されている。
【００３１】
次に、図２を用いて、イメージセンサ２１０による撮影後に撮影画像を所定時間表示するプレビュー時間の表示タイマー（表示制限時間）を設定するためのタイマー設定シーケンスについて説明する。
【００３２】
ステップＳ２０１で、タイマー設定ＳＷ２３２がＯＮしているかどうか判別する。タイマー設定ＳＷ２３２がＯＮしていれば、ステップＳ２０２に移行し、ＯＦＦであればステップＳ２０１の処理を繰り返す。
【００３３】
ステップＳ２０２では、電子ダイヤルＳＷ２２６が操作されたかどうか判別する。電子ダイヤルＳＷ２２６が操作されていればステップＳ２０３に移行し、操作されていなければステップＳ２０１に戻る。
【００３４】
ステップＳ２０３では電子ダイヤルＳＷ２２６の回転方向を判別する。電子ダイヤルＳＷ２２６が＋方向に操作されていればステップＳ２０４へ移行し、−方向へ操作されていればステップＳ２０５へ移行する。
【００３５】
ステップＳ２０４では表示タイマーを増加させる。例えば、表示タイマーを初期値１秒に設定しておき、電子ダイヤルＳＷ２２６が＋方向に操作される度に、２秒、４秒、８秒、１５秒、３０秒、６０秒（１分）と言うように増加させる。
【００３６】
ステップＳ２０５では表示タイマーを減少させる。設定される表示タイマーの値は、例えばステップＳ２０４と同様に、１秒、２秒、４秒、８秒、１５秒、３０秒、６０秒（１分）の中で、現在設定されていた値から一つづつ短い時間が選択される。
【００３７】
なお、表示タイマーの増減の仕方は上記の方法に限られるものではなく、操作された回数と同じ秒数を増減するようにしたり、＋方向に電子ダイヤルＳＷ２２６をホールドした時間に応じて増減する時間を変更するなど、任意に設計することが可能である。
【００３８】
ステップＳ２０６では、タイマー設定ＳＷ２３２がＯＮしているかどうか判別する。タイマー設定ＳＷ２３２がＯＮしていれば、ステップＳ２０２に戻り、ＯＦＦしていればタイマー設定シーケンスを終了する。
【００３９】
次に、図３を用いて、通常撮影シーケンスについて説明する。
【００４０】
まず、ステップＳ３０１でレリーズＳＷ１（２３１）がＯＮされたかどうか判別する。ＯＮされると、ステップＳ３０２とステップＳ３０４に分岐、移行する。
【００４１】
ステップＳ３０２では、撮影レンズ１０１を通り、クイックリターンミラー２０２で反射され、ペンタプリズム２０１を通過した光束を測光回路２０７で測光する。ステップＳ３０３ではシステムコントローラ２２３が測光回路２０７の出力に応じて撮像時の絞り値や露出時間などの露出値を決定する。
【００４２】
また、ステップＳ３０４では、システムコントローラ２２３はＡＦセンサー２０４及び焦点検出回路２０５を使って、測距を行い、ステップＳ３０５で測距できたかどうか判別する。測距した対象物が低コントラストの場合や暗い場合には測距ができなかったり、測距結果の信頼性が低かったりする事がある。そういった場合には、ステップＳ３０６へ移行して、例えばブザー２３４を鳴らしたり、表示回路２２５及び、または画像表示装置２１３にメッセージを表示するなどの警告を行ってからステップＳ３０１に戻る。ステップＳ３０７では、システムコントローラ２２３は、測距結果に基づいてレンズ制御回路１０４にレンズ駆動量を送信し、レンズ制御回路１０４は送信されたレンズ駆動量に基づいてレンズ駆動機構１０３を制御し、レンズ駆動機構１０３は撮影レンズ１０１を合焦位置へと駆動する。
【００４３】
ステップＳ３０８では、レリーズＳＷ２（２３０）がＯＮされたかどうか判別する。ＯＮされていれば、ステップＳ３１０へ移行する。一方、レリーズＳＷ２（２３０）がＯＦＦの場合、ステップＳ３０９へ移行する。ステップＳ３０９では、レリーズＳＷ１（２３１）の状態を判別する。レリーズＳＷ１（２３１）がＯＮであれば、ステップＳ３０８に戻ってレリーズＳＷ２（２３０）の状態を確認する。レリーズＳＷ１（２３１）がＯＦＦであれば撮影シーケンスを終了し、カメラはスタンバイ状態へ移行する。
【００４４】
ステップＳ３１０では、システムコントローラ２２３はシャッターチャージ・ミラー駆動機構２１１を制御し、 クイックリターンミラー２０２及びサブミラー２０３のミラーアップ動作を行う。
【００４５】
ステップＳ３１１では、ステップＳ３０３で設定された絞り値情報をシステムコントローラ２２３が絞り制御回路１０６へ送信し、絞り駆動機構１０５を駆動して、設定された絞り値まで絞り込みが行われる。
【００４６】
ステップＳ３１２においてシステムコントローラ２２３はフォーカルプレーンシャッタ２１０を開くようシャッタ制御機構２１２を制御し、さらにステップＳ３１３では、画像データコントローラ２２０（ＤＳＰ）に対してイメージセンサ２１０の電荷蓄積動作を指示する。ステップＳ３１４ではステップＳ３０３で決定した所定露出時間の間（即ち、ステップＳ３１４でＮＯの間）待機し、そして露光時間が終わると（即ち、ステップＳ３１４でＹＥＳ）、ステップＳ３１５へ移行し、フォーカルプレーンシャッタ２１０を閉じる。
【００４７】
システムコントローラ２２３は、ステップＳ３１６において次回の動作に備えて、フォーカルプレーンシャッタ２１０のチャージ動作及び クイックリターンミラー２０２及びサブミラー２０３のミラーダウン駆動を行い、ステップＳ３１７において、絞り１０２を開放へと駆動する。ステップＳ３１８では画像データコントローラ２２０に対してイメージセンサ２１０から画像データを取り込むように指示する。ステップＳ３１９では、読み出した画像データを画像圧縮回路２１９を通し、画像データ記録メディア２１８へ記録し、図４に示す画像のプレビュー表示を行う。
【００４８】
次に、図４を参照してプレビュー表示シーケンスについて説明する。
【００４９】
まず、ステップＳ１０１において、表示タイマーをセットする。表示タイマーのカウントはシステムコントローラ２２３が行う。セットされる表示タイマーは図２で説明したタイマー設定シーケンスで設定された値である。そして、ステップＳ１０２で、表示タイマーＴの減算をスタートする。
【００５０】
ステップＳ１０４で、表示ＳＷ２２７の状態を判別する。表示ＳＷ２２７がＯＮであればステップＳ１０５へ移行し、ＯＦＦであればステップＳ１０６へ移行する。
【００５１】
ステップＳ１０４でプレビュー表示中に表示ＳＷ２２７が操作された事を検出すると、ステップＳ１０５では表示タイマーＴを延長するようタイマー時間を増加させる。表示タイマーの増加量Ｔup時間は、図２で説明した表示タイマー設定シーケンスで設定された値と同じである。つまりプレビュー表示中に表示ＳＷ２２７が一度操作されると、表示タイマー分、プレビュー時間が延長される事になる。
【００５２】
ステップＳ１０６で表示ＳＷ２２７がＯＦＦとなるまでその状態を判別し、ＯＦＦされるとステップＳ１０７へ移行する。
【００５３】
ステップＳ１０７ではレリーズＳＷ１（２３１）の状態を判別し、レリーズＳＷ１（２３１）がＯＮしていればステップＳ１０９へ移行し、プレビュー表示を終了し、スタンバイ状態へと移行する。レリーズＳＷ１（２３１）がＯＦＦならば、ステップＳ１０８へ移行する。
【００５４】
ステップＳ１０８では、表示タイマーが完了しているかどうか判別する。表示タイマーが未完であればステップＳ１０４へ戻り、表示タイマーが完了していれば、ステップＳ１０９でプレビュー表示を終了し、スタンバイ状態へと移行する。
【００５５】
上記の通り、本第１の実施形態によれば、プレビューのための表示タイマーの時間を任意に設定することが可能であると共に、プレビュー画像を表示している状態で表示ＳＷを操作する事で、表示タイマーを容易に延長する事が可能となる。
【００５６】
＜第２の実施形態＞
次に、本第２の実施形態について説明する。本第２の実施形態では、図３のステップＳ３１９において撮影した画像データを保存した後に行われるプレビュー表示シーケンスが上記第１の実施形態とは異なる。それ以外は上述した第１の実施形態と同様であるので、以下、プレビュー表示動作について図５を参照して説明する。
【００５７】
まず、ステップＳ４０１において、表示タイマーをセットする。表示タイマーのカウントはシステムコントローラ２２３が行う。セットされる表示タイマーは図２で説明した表示タイマー設定シーケンスで設定された値である。そして、ステップＳ４０２で、表示タイマーＴの減算をスタートする。
【００５８】
ステップＳ４０４で、表示ＳＷ２２７の状態を判別する。表示ＳＷ２２７がＯＮであればステップＳ４０５へ移行し、ＯＦＦであればステップＳ４０８へ移行する。
【００５９】
ステップＳ４０４でプレビュー表示中に表示ＳＷ２２７が操作された事を検出すると、ステップＳ４０５では表示ＳＷ２２７がＯＮしている時間Ｎ（秒）を計測する。ステップＳ４０６では、表示ＳＷ２２７の状態を判別し、ＯＮならばステップＳ４０５へ戻り、表示ＳＷ２２７のＯＮ時間Ｎを継続して計測する。表示ＳＷ２２７がＯＦＦならばステップＳ４０７へ移行する。
【００６０】
ステップＳ４０７では、表示タイマーＴを延長するようにタイマー時間を増加させる。ここではプレビュー表示中に表示ＳＷ２２７が操作されると、たとえば、
Ｔ（更新後の表示タイマー）＝Ｔ（表示タイマー残時間）＋Tup×N（秒：表示ＳＷ２２７のＯＮ時間）
【００６１】
となるようにプレビュー時間を延長する。上記式において、Ｔup時間は、図２で説明した表示タイマー設定シーケンスで設定された値と同じものとする。
ステップＳ４０８ではレリーズＳＷ１（２３１）の状態を判別し、レリーズＳＷ１（２３１）がＯＮしていればステップＳ４１０へ移行し、プレビュー表示を終了し、スタンバイ状態へと移行する。レリーズＳＷ１（２３１）がＯＦＦならば、ステップＳ４０９へ移行する。
【００６２】
ステップＳ４０９では、表示タイマーが完了しているかどうか判別する。表示タイマーが未完であればステップＳ４０４へ戻り、表示タイマーが完了していれば、ステップＳ４１０でプレビュー表示を終了し、スタンバイ状態へと移行する。
【００６３】
上記の通り、本第２の実施形態によれば、プレビューのための表示タイマーの時間を任意に設定することが可能であると共に、プレビュー画像を表示している状態で表示ＳＷを操作する事で表示タイマーを容易に延長する事が可能となる。
【００６４】
なお、上記第１及び第２の実施形態では、画像撮影後のプレビュー表示最中に表示時間を延長する場合について説明したが、本発明はプレビュー表示に限るものではなく、表示時間がタイマーにより制限されている場合の表示動作に適用することができる。
【００６５】
＜他の実施形態＞
なお、本発明は、複数の機器（例えばホストコンピュータ、インターフェイス機器、カメラヘッド、ディスプレイ装置など）から構成されるシステムに適用しても、一つの機器からなる装置（例えば、デジタルスチルカメラ、デジタルビデオカメラなど）に適用してもよい。
【００６６】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００６７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００６８】
【図１】本発明の実施の形態における撮像装置の機能構成を示すブロック図である。
【図２】本発明の実施の形態におけるタイマー設定シーケンスを示すフローチャートである。
【図３】本発明の実施の形態における通常撮影シーケンスを示すフローチャートである。
【図４】本発明の第１の実施形態におけるプレビュー表示シーケンスを示すフローチャートである。
【図５】本発明の第２の実施形態におけるプレビュー表示シーケンスを示すフローチャートである。
【符号の説明】
【００６９】
１００：撮影レンズユニット、１０１：撮影レンズ、１０２：絞り、１０３：レンズ駆動機構、１０４：レンズ制御回路、１０５：絞り駆動機構、１０６：絞り制御回路、１０７：電気的接点群、２００：電子カメラ、２０１：ペンタプリズム、２０２：クイックリターンミラー、２０３：サブミラー、２０４：ＡＦセンサ、２０５：焦点検出回路、２０６：接眼レンズ、２０７：測光回路、２０８：フォーカルプレーンシャッタ、２０９：フィルタ、２１０：イメージセンサ、２１１：シャッタチャージ・ミラー駆動機構、２１２：シャッタ制御機構、２１３：画像表示回路、２１４：エンコーダ回路、２１５：Ｄ／Ａコンバータ、２１６：Ａ／Ｄコンバータ、２１７：タイミングパルス発生回路、２１８：画像データ記録メディア、２１９：画像圧縮回路、２２０：画像データコントローラ、２２１：ＤＲＡＭ、２２２：ＥＥＰＲＯＭ、２２３：システムコントローラ、２２４：通信インターフェース回路、２２５：表示回路、２２６：電子ダイヤルＳＷ、２２７：表示ＳＷ、２２８：測距エリア選択ＳＷ、２２９：モード設定ＳＷ、２３０：レリーズＳＷ２、２３１：レリーズＳＷ１、２３２：タイマー設定ＳＷ、２３３：カウンター、２３４：ブザー、２３５：測光エリア選択ＳＷ、３００：外部制御装置
【図１】
2006140736.tif 000003
【図２】
2006140736.tif 000004
【図３】
2006140736.tif 000005
【図４】
2006140736.tif 000006
【図５】
2006140736.tif 000007